(57)【要約】【課題】軸筒本体１に外軸２を外嵌し、更に、軸筒本体１に頭冠３を取り付けた筆記具の軸筒において、軸筒本体１、外軸２及び頭冠３を細径に構成できる筆記具の軸筒を提供する。【解決手段】軸筒本体１に外軸２を外嵌し、軸筒本体１のキー溝１Ｃに外軸２の内方突起２Ａを係合してキー溝１Ｃの前縁に外軸２の内方突起２Ａを当接する。更に、軸筒本体１の係止穴１Ｂに頭冠３の係止突起３Ｄを嵌め込み、軸筒本体１のキー溝１Ｃ前縁と頭冠３により外軸２を挟持する。【選択図】        図１
2008036830.tif 000002
【特許請求の範囲】
【請求項１】
軸筒本体と、軸筒本体に外嵌される外軸と、軸筒本体に取り付けられる頭冠とからなり、軸筒本体に係止穴と後端から前方に伸びたキー溝を構成し、外軸の内面に内方突起を形成し、頭冠に前部細径部を形成し、この前部細径部に係止突起を形成し、前記軸筒本体の後方より先ず外軸を外嵌し、軸筒本体のキー溝に外軸の内方突起を係合してキー溝の前縁に外軸の内方突起を当接し、更に、外軸の後方より頭冠の前部細径部を挿入し、頭冠の係止突起を軸筒本体の係止穴に嵌め込み、軸筒本体のキー溝前縁と頭冠により外軸を挟持し、軸筒本体に外軸及び頭冠を取り付けたことを特徴とする筆記具の軸筒。
【請求項２】
軸筒本体と、軸筒本体に外嵌される外軸と、軸筒本体に取り付けられる頭冠とからなり、軸筒本体に係止穴と後端から前方に伸びたキー溝を構成し、外軸の内面に内方突起を形成するとともに軸筒本体の後端から前方に伸びたキー溝を形成し、頭冠に前部細径部を形成し、この前部細径部に互いに対向して開口窓を形成し、かつ、前部細径部の２つの開口窓の間に位置する一方の片に係止突起を形成するとともに他方の片に隆起した前部キーを形成し、前部細径部よりやや太径の中間部に隆起した後部キーを形成し、前記軸筒本体の後方より先ず外軸を外嵌し、軸筒本体のキー溝に外軸の内方突起を係合してキー溝の前縁に外軸の内方突起を当接し、更に、外軸の後方より前記頭冠の前部細径部及び中間部を挿入し、頭冠の中間部に形成された後部キーを外軸のキー溝に係合させるとともに、頭冠の前部細径部に形成された係止突起を軸筒本体の係止穴に嵌め込み、軸筒本体のキー溝前縁と頭冠により外軸を挟持するとともに、軸筒本体、外軸及び頭冠を回動不能に取り付けたことを特徴とする筆記具の軸筒。
【請求項３】
外軸を透明性を有した合成樹脂で構成したことを特徴とする請求項１又は２記載の筆記具の軸筒。
【請求項４】
軸筒本体の把持部に軟質材からなるグリップを外嵌したことを特徴とする請求項１乃至３のいずれかに記載の筆記具の軸筒。
【請求項５】
頭冠にクリップを一体に形成したことを特徴とする請求項１乃至４のいずれかに記載の筆記具の軸筒。
【発明の詳細な説明】
【技術分野】
【０００１】
本発明は、軸筒本体に外軸を外嵌し、更に、軸筒本体に頭冠を取り付けた筆記具の軸筒に関するものである。
【背景技術】
【０００２】
従来、内鞘に鞘を外嵌し、この内鞘を胴に螺合し、胴と内鞘により鞘を挟持する筆記具が知られている。（特許文献１参照）
【特許文献１】特開２００５−１１９０５３号公報（図１）
【発明の開示】
【発明が解決しようとする課題】
【０００３】
上記した筆記具は、胴と内鞘を螺合して構成されており、高級感が得られる反面、胴および鞘が太くなってしまうものであった。
本発明は、上記課題を解消する筆記具の軸筒を提供することを目的とするものである。
【課題を解決するための手段】
【０００４】
本発明は、軸筒本体と、軸筒本体に外嵌される外軸と、軸筒本体に取り付けられる頭冠とからなり、軸筒本体に係止穴と後端から前方に伸びたキー溝を構成し、外軸の内面に内方突起を形成し、この前部細径部に係止突起を形成し、前記軸筒本体の後方より先ず外軸を外嵌し、軸筒本体のキー溝に外軸の内方突起を係合してキー溝の前縁に外軸の内方突起を当接し、更に、外軸の後方より頭冠の前部細径部を挿入し、頭冠の係止突起を軸筒本体の係止穴に嵌め込み、軸筒本体のキー溝前縁と頭冠により外軸を挟持し、軸筒本体に外軸及び頭冠を取り付けたことを第１の要旨とする。
【０００５】
また、軸筒本体と、軸筒本体に外嵌される外軸と、軸筒本体に取り付けられる頭冠とからなり、軸筒本体に係止穴と後端から前方に伸びたキー溝を構成し、外軸の内面に内方突起を形成するとともに軸筒本体の後端から前方に伸びたキー溝を形成し、頭冠に前部細径部を形成し、この前部細径部に互いに対向して開口窓を形成し、かつ、前部細径部の２つの開口窓の間に位置する一方の片に係止突起を形成するとともに他方の片に隆起した前部キーを形成し、前部細径部よりやや太径の中間部に隆起した後部キーを形成し、前記軸筒本体の後方より先ず外軸を外嵌し、軸筒本体のキー溝に外軸の内方突起を係合してキー溝の前縁に外軸の内方突起を当接し、更に、外軸の後方より前記頭冠の前部細径部及び中間部を挿入し、頭冠の中間部に形成された後部キーを外軸のキー溝に係合させるとともに、頭冠の前部細径部に形成された係止突起を軸筒本体の係止穴に嵌め込み、軸筒本体のキー溝前縁と頭冠により外軸を挟持するとともに、軸筒本体、外軸及び頭冠を回動不能に取り付けたことを第２の要旨とする。
【０００６】
更に、外軸を透明性を有した合成樹脂で構成したことを第３の要旨とする。
【０００７】
更にまた、軸筒本体の把持部に軟質材からなるグリップを外嵌したことを第４の要旨とする。
【０００８】
更にまた、頭冠にクリップを一体に形成したことを第５の要旨とする。
【発明の効果】
【０００９】
本発明の筆記具の軸筒は、軸筒本体のキー溝に外軸の内方突起を嵌め込み、頭冠の係止突起を軸筒本体の係止穴に嵌め込むことにより、軸筒本体のキー溝前縁と頭冠の外段により外軸を挟持することにより、軸筒本体、外軸および頭冠を細径に構成できるという利点がある。
【発明を実施するための最良の形態】
【００１０】
軸筒本体に外軸を外嵌し、軸筒本体の係止穴に頭冠の係止突起を嵌め込むことにより、軸筒本体のキー溝前縁に外軸の内方突起を当接するとともに、外軸の後端を頭冠の外段に当接し、軸筒本体、外軸および頭冠が細径に構成できる筆記具の軸筒を実現した。
【実施例１】
【００１１】
以下、図１、図２、図３、図４及び図５に基いて本発明の実施例１を説明する。尚、図１の左側を後方とする。先ず、任意の色で着色した合成樹脂製の軸筒本体１の前部に円周方向に伸びた凹溝１Ａを適宜の間隔に複数形成する。また、軸筒本体１の後部に係止穴１Ｂを形成するとともに、前記係止穴１Ｂと対向する位置に軸筒本体１の後端から前方に伸びたキー溝１Ｃを形成する。
【００１２】
透明あるいは着色されかつ透明性を有する合成樹脂で構成された外軸２の中間部よりやや後方内面に内方突起２Ａを形成し、この内方突起２Ａと対向する位置に後端から前方に伸びたキー溝２Ｂを形成する。
【００１３】
更に、透明あるいは着色されかつ透明性を有する合成樹脂で形成された頭冠３には前部細径部３Ａが形成され、この前部細径部３Ａの両側に互いに対向して２つの開口窓３Ｂを形成する。この２つの開口窓３Ｂの間の上側の片３Ｃに係止突起３Ｄを形成するとともに下側の片３Ｅに隆起した前部キー３Ｆを形成する。前部細径部３Ａよりやや太径に形成された中間部の上側に隆起した後部キー３Ｇを形成する。中間部より太径の後部にクリップ４を一体に形成し、クリップ４の基部に紐を通すための開口孔４Ａが形成される。
【００１４】
上記軸筒本体１に後方から先ず外軸２を外嵌し、外軸２の内方突起２Ａを軸筒本体１のキー溝１Ｃに係合させる。すると、外軸２の内方突起２Ａが軸筒本体１のキー溝１Ｃの前縁に当接する。更に、外軸２の後方から前記頭冠３の前部細径部３Ａを挿入し、頭冠３の中間部に形成された後部キー３Ｇを外軸２のキー溝２Ｂに係合する。更に、頭冠３を前方に押し込むと、頭冠３の前部キー３Ｆが軸筒本体１のキー溝１Ｃに係合され位置合わせされる。更に、頭冠３を前方に押し込むと、頭冠３の前部細径部３Ａに形成された係止突起３Ｄが軸筒本体１の係止穴１Ｂに嵌め込まれ、頭冠３が軸筒本体１に固定される。同時に、頭冠３の外段３Ｈが外軸２の後端に当接する。すると、軸筒本体１のキー溝１Ｃの前縁に外軸２の内方突起２Ａが当接されるとともに、外軸２の後端が頭冠３の外段３Ｈに当接されるので、外軸２は、軸筒本体１と頭冠３によって挟持される。更に、軸筒本体１の前部には透明性を有するシリコンゴム等の軟質材で構成されたグリップ５が外嵌され、筆記具の軸筒が構成される。
【００１５】
この実施例１においては、軸筒本体１のキー溝１Ｃに外軸２の内方突起２Ａが係合され、頭冠３の係止突起３Ｄが軸筒本体１の係止穴１Ｂに嵌め込まれ、軸筒本体１のキー溝１Ｃ前縁と頭冠３の外段３Ｈにより外軸２を挟持しているので、軸筒本体１及び外軸２が太くならず細径に構成できるものである。また、軸筒本体１のキー溝１Ｃに頭冠３の前部キー３Ｆを係合し、かつ、外軸２のキー溝２Ｂに頭冠３の後部キー３Ｇを係合するので、軸筒本体１、外軸２及び頭冠３が互いに回動する恐れがなく、しかも、頭冠３を押し込んだ時に、頭冠３の係止突起３Ｄが確実に軸筒本体１の係止穴１Ｂに位置合わせされるので、組み立てが非常に簡単に行える利点が得られる。更に、着色した軸筒本体１、透明性を有するグリップ５、透明性を有する外軸２及び軸筒本体１と同色で着色しかつ透明性を有する頭冠３を組み合わせれば、全体が同色のイメージで構成され、外観が向上する利点が得られる。
【００１６】
次に、上記筆記具の軸筒を用いたノック式シャープペンシルを図６に基いて説明する。先ず、従来から使用されているチャック６、締リング７、連結具８、スプリング９及びパイプ状の芯タンク１０からなる機構部を軸筒本体１の前端より挿入する。この時、芯タンク１０は、軸筒本体１の中間部内面に形成された複数のリブ１Ｄによりセンタリングが行われる。軸筒本体１のリブ１Ｄは、円周方向等間隔に６個程度設けられ、長手方向後方に伸びて形成される。また、消しゴム１１及びノブ１２を設けた消しゴム支え１３を頭冠３の後方より挿入し、芯タンク１０の後部外側に消しゴム支え１３の前部内側を嵌合させる。更に、芯ホルダー１４を内蔵した口金１５を軸筒本体１の前部に着脱可能に螺合し、口金１５の内段１５Ａと軸筒本体１の前端により連結具８の外鍔８Ａを挟持するとともに、口金１５の後端と外軸２によりグリップ５を挟持してノック式シャープペンシルを完成させる。
【産業上の利用可能性】
【００１７】
軸筒本体に外軸を外嵌した軸筒を細径に構成できる筆記具の軸筒に適用できる。
【図面の簡単な説明】
【００１８】
【図１】本発明の筆記具の軸筒を示す断面図である。（実施例１）
【図２】図１のＡ−Ａ線を示す拡大断面図である。（実施例１）
【図３】本発明の軸筒本体を示す断面図である。（実施例１）
【図４】本発明の外軸を示す断面図である。（実施例１）
【図５】本発明の頭冠及びクリップを示す拡大正面図である。（実施例１）
【図６】本発明の筆記具の軸筒を用いたノック式シャープペンシルを示す断面図である。（実施例１）
【符号の説明】
【００１９】
１  軸筒本体
１Ｂ  軸筒本体１の係止穴
１Ｃ  軸筒本体１のキー溝
２  外軸
２Ａ  外軸２の内方突起
２Ｂ  外軸２のキー溝
３  頭冠
３Ａ  頭冠３の前部細径部
３Ｂ  頭冠３の開口窓
３Ｃ  頭冠３の片
３Ｄ  頭冠３の係止突起
３Ｅ  頭冠３の片
３Ｆ  頭冠３の前部キー
３Ｇ  頭冠３の後部キー
４  クリップ
５  グリップ
【図１】
2008036830.tif 000003
【図２】
2008036830.tif 000004
【図３】
2008036830.tif 000005
【図４】
2008036830.tif 000006
【図５】
2008036830.tif 000007
【図６】
2008036830.tif 000008